(57)【特許請求の範囲】
【請求項１】
円筒形状の両端に沿う二つの環状縁部と母線に沿って前記二つの環状縁部間に延在する帯状の孔版原紙始端装着部とを除く周面部にて多孔構造に構成された印刷ドラムと、前記印刷ドラム内に設けられ該印刷ドラムの多孔構造の周面部に内側よりインキを供給するインキ付けローラと、外周面の一部に母線に沿った印刷用紙始端取付け用クランプを有する裏押しローラとを有し、前記印刷ドラムと前記裏押しローラとが互いに近接して平行に配置され互いに反対方向へ回転される際、前記インキ付けローラによって前記印刷ドラムの前記多孔構造の部分より供給されたインキにより前記印刷ドラムの周りに捲装された孔版原紙によって前記印刷ドラムと前記裏押しローラの間に前記クランプにより始端を把持されつつ装入された印刷用紙に孔版印刷を施す孔版印刷機にして、前記裏押しローラの外周面上に母線に沿って前記クランプを覆う帯状の弾性シートが装着されていることを特徴とする孔版印刷機。
【請求項２】
前記クランプは傾動型クランプであり、前記シートはクランプの幅に対応した切目を有することを特徴とする孔版印刷機。
【発明の詳細な説明】
【０００１】
【産業上の利用分野】
本発明は、孔版印刷機に係り、特に印刷ドラムからのインキ漏れを防止する構造に係る。
【０００２】
【従来の技術】
円筒形状の両端に沿う二つの環状縁部と母線に沿って前記二つの環状縁部間に延在する帯状の孔版原紙始端装着部とを除く周面部にて多孔構造に構成された印刷ドラムと、前記印刷ドラム内に設けられ該印刷ドラムの多孔構造の周面部に内側よりインキを供給するインキ付けローラと、裏押しローラとを有し、前記印刷ドラムと前記裏押しローラとが互いに近接して平行に配置され互いに反対方向へ回転される際、前記インキ付けローラによって前記印刷ドラムの前記多孔構造の部分より供給されたインキにより前記印刷ドラムの周りに捲装された孔版原紙によって前記印刷ドラムと前記裏押しローラの間に装入された印刷用紙に孔版印刷を施す孔版印刷機が、本件出願人と同一人の出願に関わる特願昭６３−２８５５３号（特開平１−２０４７８１号）、特願平１−４７０２９号（特開平２−２２５０７８号）、特願平２−２２３５５０号（特開平４−１０５９８４号）等に於いて提案されている。
【０００３】
又、上記の如き構成の孔版印刷機に於いて、裏押しローラには印刷用紙始端取付け用クランプが設けられ、印刷ドラムの多孔構造部に於けるインキ層の動きがインキ付けローラにより抑制されている状態で該多孔構造部より印刷用紙を引き離すことにより、かすれのない鮮明で且つ一様な印刷画像が裏写りを生ずることなく得られる孔版印刷法が本件出願人と同一の出願に係る特願平３−１６２２１８号（特開平４−３６１０４３号）に於いて提案され、更に又、かかるクランプにより裏押しローラに始端を取り付けられた印刷用紙に対する印刷画像の縦方向位置即ち天地位置を調節すべく印刷ドラムと裏押しローラとの間の相対的回転角度が所定の範囲内にて変えられても、印刷ドラムの多孔構造部より非多孔構造の孔版原紙始端装着部上へインキが漏出することを防止する構造を備えた孔版印刷機が、本件出願人と同一人の出願に係る特願平６−６６７０８号に於て提案されている。
【０００４】
【発明が解決しようとする課題】
上記の特願平６−６６７０８号による孔版印刷機は、上記の如き孔版印刷機に於いて、上記のインキ漏出を防止するため、印刷ドラムの多孔構造部と裏押しローラの横溝の各々の外周長及び該多孔構造部と該横溝の間の相対的回転位相を該多孔構造部と該横溝とが互いに重ならないように定めるものであり、これによって印刷ドラムの多孔構造部は、それがインキ付けローラにより内側からインキ押し出し作用を伴う押圧を受けるとき必ず裏押しローラの円筒状外周面にて支持された状態にあり、換言すれば、印刷ドラムの多孔構造部が裏押しローラの横溝内に露呈されていて外面からの支持が得られない状態にて内側よりインキ付けローラによる押圧が行われる事態は生じず、上記のインキ漏出が効果的に防止される。
【０００５】
しかし裏押しローラの外周面の横溝に隣接する部分に印刷用紙の始端を裏押しローラに取り付けるために設けられクランプは、それが閉じた状態にあるとき可及的に裏押しローラの円筒状外周面の輪郭に倣った外面を呈するよう構成されてはいるが、それでも尚それが可動部材であることから必然的にその周囲には隙間が存在し、この部分にて裏押しローラは完全な円筒状外面を呈することはできない。特にクランプが傾動型のクランプである場合、クランプの解放位置への傾動を許すために比較的大きい傾動用空隙が必要である。このことを添付の図を参照してより詳細に説明する。
【０００６】
添付の図１は上記の特願平６−６６７０８号の図１と同じ図であり、同出願による孔版印刷機の一つの実施例の基本構成を示す概略図である。この図に於て、１０が印刷ドラムであり、１４が裏押しローラである。印刷ドラム１０はその軸線方向両端部が一対の環状部１６により構成され、それら一対の環状部が印刷ドラムの中心軸線に平行に延在する横木部１８により互いに連結され、印刷ドラムの枠体を構成している。展開形状が長方形の可撓性多孔シート２０がその両側縁部を一対の環状部１６の外周面上に着座させた状態に装着されており、可撓性多孔シートの前縁部２０ａ及び後縁部２０ｂはそれぞれ横木部１８に装着されている。図に於いては、可撓性多孔シートの前縁部２０ａと後縁部２０ｂの横木部１８に対する装着は単にそれらが一部にて互いに重なり合った状態に解図的に示されているが、特に後縁部２０ｂの横木部１８への装着については、上記の特願平１−４７０２９号及び同じく本件出願人と同一の出願人による特願平５−３０６０２８号（特開平７−１３７４１５号）及び特願平５−３０６０２９号（特開平７−１３７４１６号）にそれぞれ格別の構造が示されている。可撓性多孔シート２０により形成された印刷ドラム１０の円筒面の周りには孔版原紙１９がその始端部を横木部１８上にクランプ２１により取り付けられた状態に捲装される。かかる可撓性多孔シートの前縁部及び後縁部の横木部に対する装着構造そのものは本件発明の要旨には直接関係しないので、その詳細な構造についての図示と説明はここでは省略する。
【０００７】
可撓性多孔シート２０の前縁部２０ａ及び後縁部２０ｂは何れも非多孔構造とされており、それらの間の中間部２０ｃにてインキを通過させる多孔構造とされている。可撓性多孔シート２０の非多孔構造の前縁部２０ａと後縁部２０ｂと横木部１８とは、ドラム１０の母線に沿って印刷ドラムの両端縁間に延在する帯状の非多孔構造の孔版原紙始端装着部１０ａを形成している。
【０００８】
一方、裏押しローラ１４にはその中心軸線に平行に母線に沿って横溝２２が設けられている。印刷ドラム１０と裏押しローラ１４とは互いに同径であり、これらは印刷ドラムの孔版原紙始端装着部１０ａと裏押しローラの横溝２２とが互いに整合するよう互いに同期して反対方向へ回転されるようになっている。それらの回転方向は、図１で見て印刷ドラムは反時計廻り方向であり、裏押しローラ１４は時計廻り方向である。
【０００９】
印刷ドラム１０内には、インキ付けローラ１２がその外周面にて印刷ドラム１０の内周面に接触しつつ軸１３によりその中心軸線の周りに転動するよう配置されている。印刷ドラムの回転中、インキ付けローラ１２が横木部１８の部分を通過する際、両者の衝撃的接触を避けるよう一対の環状部１６に沿ってカム２４が設けられており、インキ付けローラ１２の軸１３に設けられた環状のカムフォロワ２３がこのカムに係合するようになっている。
【００１０】
裏押しローラ１４には該裏押しローラの回転方向に沿って見て横溝２２の後縁に当たる縁に近接して印刷用紙の始端を裏押しローラ１４上に係止するクランプ２５が設けられており、印刷用紙はその始端をクランプ２５により把持された状態にて裏押しローラ１４上に取り付けられ、これより裏押しローラ１４の図に於ける時計廻り方向の回転に伴って該裏押しローラと印刷ドラムとの間の挟み部内へ導入され、そこで可撓性多孔シート２０が内側よりインキ付けローラ１２により半径方向外方へ押し出されるとき、可撓性多孔シート２０の孔を通り更に孔版原紙１９の穿孔部を通って供給されたインキにより印刷画像を施されるようになっている。
【００１１】
図１より明らかな通り、特願平６−６６７０８号の発明によれば、印刷ドラム１０の外周面部に於ける多孔構造部２０ｃと裏押しローラ１４の横溝２２の各々の外周長（印刷ドラム或いは裏押しローラの全体としての円筒状外輪郭に沿った周長）ＰとＧ、及びこれら多孔構造部２０ｃと横溝２２の間の相対的回転位相は、多孔構造部２０ｃと横溝２２とが互いに重ならないように定められ、可撓性多孔シートの多孔構造部２０ｃと非多孔構造の前縁部２０ａとの間の境界点（実際は線）２６に対応する裏押しローラ１４の外周面上の点（実際は線）２８と横溝２２の間には、外周面部３０が残されており、又可撓性多孔シートの多孔構造部２０ｃと後縁部２０ｂとの間の境界点（実際は線）３２に対応する裏押しローラ１４の外周面上の点（実際は線）３４と横溝２２の間にも、外周面部３６が残されている。これらの外周面部３０及び３６が裏押しローラ１４上に存在することにより、境界点２６或いは３２及びそれに隣接する多孔構造部２０ｃがインキ付けローラ１２に接する位置を通過する際、可撓性多孔シートの内面にインキ付けローラ１２がすり付けられるスキージ作用によりインキが多孔構造部２０ｃを通ってその外側へ押し出されようとしても、該インキに対し裏押しローラ１４の剛固な円筒状外周面による押え力が作用し、インキが多孔構造部２０ｃを横切ってその外面側へ移動することが防止されるようになっている。
【００１２】
本件出願人と同一の出願人による特願平５−３０６０３３号（特開平７−１３７４１９号）には、印刷用紙に対する印刷画像の天地位置を調節する目的で、印刷ドラム１０と裏押しローラ１４の相対的回転位置を、図１に示す如く横木部１８と横溝２２とが丁度整合した標準位置より、前後にずらせることが提案されている。そのような印刷画像の天地位置調節機構が印刷機に組み込まれるときには、可撓性多孔シート２０の前縁部に於ける多孔構造部と非多孔構造部の境界点２６に対応する裏押しローラ１４上の点２８及び可撓性多孔シートの後縁部に於ける多孔構造部と非多孔構造部の境界点３２に対応する裏押しローラ１４上の点３４とは、それぞれ偏倚領域３８及び４０内にて移動する。従って、そのような天地位置調節手段が組み込まれる場合の印刷ドラム１０と裏押しローラ１４の間の相対的回転位相の変化に対する偏倚領域３８及び４０を考慮して、外周面部３０及び３６の大きさが定められていれば、天地位置調節による印刷ドラム１０と裏押しローラ１４の間の相対的回転位相の変化に拘らず、常に境界点２６或いは３２がインキ付けローラ１２に接する位置を通過する際、多孔構造部２０ｃが横溝２２内へ露呈されることはなく、境界点２６或いは３２に隣接する多孔構造部２０ｃに対し裏押しローラ１４の剛固な円筒状外周面による押え力を作用させることができ、インキが多孔構造部２０ｃを横切ってその外面上へ移動することを防止することができる筈である。
【００１３】
しかし、かかる孔版印刷機の構造に於て、裏押しローラ１４の外周面部３０、即ち横溝２２の一方の縁に隣接する外周面部にクランプ２５が設けられていると、クランプが可動構造部材であることからクランプ２５の周りには必然的に隙間が存在し、特にクランプが傾動式のクランプであると、図２及び図３にその例を示す如くかなり大きなクランプ傾動用の空隙２７が生じ、この部分にて裏押しローラは完全な円筒状外周面を呈することができないので、この隙間の部分に対向して多孔構造部２０ｃがインキ付けローラ１２により押圧されると、可撓性多孔シートに対する外側からの支持の不足により、図３に示す如く多孔構造部２０ｃにてその内側から外側へのインキの押出しが生ずる。かかるインキの押出しが一旦生ずると、インキ付けローラによるインキ押出し作用から解放された後にも高粘性のインキは多孔構造部２０ｃ内へ自ら戻ることなく、従って印刷ドラムの回転と共にこれが繰返されると、インキは一方的に多孔構造部２０ｃを横切って内側から外側へ流れ、印刷ドラム外周面と孔版原紙の間に蓄積されていく。かかるインキの蓄積が進むと、当然その周りへのインキの漏洩が生ずるだけでなく、それが昂じるとこの部分にて孔版原紙をクランプやクランプ装着孔の角に強く押し付けることによって孔版原紙を傷め、その破損を来たす恐れもある。
【００１４】
本発明は、印刷ドラムの主要部を可撓性多孔シートにて構成された孔版印刷機の多孔構造部がインキ付けローラと裏押しローラとの間にあって裏押しローラのクランプ周りの空隙部に対向して押圧されることにより多孔構造部に生ずる一方向的インキの移動の問題に対処し、かかるインキの移動を防止し又それに起因するインキの漏洩及び孔版原紙破損の問題を防止するよう改良された孔版印刷機を提供することを課題としている。
【００１５】
【課題を解決するための手段】
上記の課題は、本発明によれば、円筒形状の両端に沿う二つの環状縁部と母線に沿って前記二つの環状縁部間に延在する帯状の孔版原紙始端装着部とを除く周面部にて多孔構造に構成された印刷ドラムと、前記印刷ドラム内に設けられ該印刷ドラムの多孔構造の周面部に内側よりインキを供給するインキ付けローラと、外周面の一部に母線に沿った印刷用紙始端取付け用クランプを有する裏押しローラとを有し、前記印刷ドラムと前記裏押しローラとが互いに近接して平行に配置され互いに反対方向へ回転される際、前記インキ付けローラによって前記印刷ドラムの前記多孔構造の部分より供給されたインキにより前記印刷ドラムの周りに捲装された孔版原紙によって前記印刷ドラムと前記裏押しローラの間に前記クランプにより始端を把持されつつ装入された印刷用紙に孔版印刷を施す孔版印刷機に於て、前記裏押しローラの外周面上に母線に沿って前記クランプを覆う帯状の弾性シートが装着されることにより達成される。
【００１６】
【発明の作用及び効果】
上記の如き構成のシートが設けられることにより、上記の印刷画像の天地位置調節装置が設けられているか否かに係りなく、前記クランプ上に印刷ドラムの可撓性多孔シートの多孔構造部が重なった状態で該多孔構造部がインキ付けローラにより裏押しローラ上に押し付けられても、クランプが設けられたことによる空隙の部分にて裏押しローラはそれを覆うシートの弾力性によって可撓性多孔シートに対向した十分な支持面を呈し、図３に示されている如く多孔構造部を通ってインキがその外面上へ移動することは効果的に防止される。
【００１７】
この場合、クランプが特に傾動型のクランプであるときには、上記の帯状弾性シートには傾動クランプの幅に対応した切目が設けられてよく、これによって傾動クランプが外向きに傾動する際には、弾性シートのうちの傾動クランプ上に重なる部分がこれらの切目に沿って傾動クランプと共にその両側に延在する帯状部分より弾性的に湾曲して起き上がることができ、又傾動クランプがクランプ位置に戻されたときには、それに追随してその両側に延在する帯状部に整合する位置まで戻ることができる。
【００１８】
【実施の態様】
添付の図４は上記の如き本発明による帯状弾性シートが図２に示す裏押しローラ１４上に取り付けられた一つの実施の態様を示す図２と同様の幾分解図的斜視図であり、図５はその要部を図３に対応させて作動状態にて示す断面図である。これらの図に於て５２が上記の帯状の弾性シートである。図示の実施例に於ては、帯状の弾性シート５２は裏押しローラ１４の横溝２２のクランプ２５に近接する側の一縁に沿った端壁５４より該一縁に隣接した帯状の外周面部５６に亙って延在する断面がＬ字型の帯状のシートであり、端壁５４に当接した部分と外周面部５６上にあって横溝２２の縁に沿い図中斜線を施された帯状領域５８に於て接着剤により裏押しローラの対応する当接面に接着されている。かかる帯状の弾性シートはステンレス鋼、リン青銅、弾性ポリエステルの如き適当な弾性材料により作られた０．１ｍｍ程度の極く薄いシート材であってよい。
【００１９】
図示の例に於いては、クランプ２５は傾動型のクランプであり、それらの複数個が横溝２２に沿って裏押しローラ１４の長手方向に配列されている。この場合、帯状弾性シート５２には傾動クランプ２５の幅に対応した切目６０が形成されている。かかる切目が形成されていることにより、傾動クランプ２５がその支持軸６２によりその中心軸線の周りに図５で見て時計廻り方向に回動され、クランプをが開かれるときには、各傾動クランプ上に重なる部分５２ａはその両側に延在する部分５２ｂより切目６０に沿って分かれ、傾動クランプ２５に追随して容易に弾性的に湾曲変形することができる。尚図示の実施の態様に於ては、傾動クランプ２５上に重なる部分５２ａに隣接する部分５２ｂはその先端部が折り曲げられ、傾動クランプ２５の先端部に対応して裏押しローラ１４の外周面上に形成された断面が三角形状の窪み６４（図２）の端壁６６上に重なるようになっている。
【００２０】
かかる帯状弾性シート５２が傾動クランプの傾動用空隙２７を覆うように設けられていることにより、図５に示す如くかかる傾動用空隙２７上に印刷ドラムの可撓性多孔シートの多孔構造部２０ｃが重なり合った状態で可撓性多孔シートがインキ付けローラ１２により内側から押圧されても、多孔構造部２０ｃを横切る外方へのインキの移動を阻止するに充分な支持が可撓性多孔シートに対し外側から与えられる。
【００２１】
尚、上記の実施の態様に於ける孔版印刷機は印刷の実行に当ってその可撓性多孔シートよりなるドラムの周面部がインキ付けローラにより裏押しローラへ向けて押し出される構造のものであるが、本発明は印刷に当って裏押しローラが印刷ドラムへ向けて移動される型式のものにも同様に適用され得ることは明らかであろう。
【００２２】
又以上に於ては本発明を図２に示されている如き特定の傾動クランプを有する裏押しローラに対し適応した一つの実施の態様について詳細に説明したが、本発明がかかる特定の実施の態様にのみ限られるものではなく、傾動クランプの構造或いは形状に応じて本発明により設けられる帯状弾性シートはそれに適合した任意の構造或いは形状に作られていることは明らかであろう。
【図面の簡単な説明】
【図１】本発明が解決した問題を内蔵する孔版印刷機の腰部の構造を示す概略図。
【図２】図１の孔版印刷機の裏押しローラの一例を示す斜視図。
【図３】図１の孔版印刷機に於ける上記の問題を示す孔版印刷機の一部の拡大図。
【図４】図２の裏押しローラに本発明を一つの実施の態様にて組み込んだ状態を示す斜視図。
【図５】図４に示す本発明の実施の態様の作動状態を図３に対比して示す断面図。
【符号の説明】
１０…印刷ドラム
１０ａ…孔版原紙始端装着部
１２…インキ付けローラ
１３…軸
１４…裏押しローラ
１６…環状部
１８…横木部
１９…孔版原紙
２０…可撓性多孔シート
２０ａ…前縁部
２０ｂ…後縁部
２０ｃ…多孔構造部
２１…クランプ
２２…横溝
２３…カムフォロワ
２４…カム
２５…クランプ
２６…多孔構造部と非多孔構造部の境界
２７…空隙
２８…裏押しローラ上の対応点
３０…外周面部
３２…多孔構造部と非多孔構造部の境界
３４…裏押しローラ上の対応点
３６…外周面部
３８，４０…偏倚領域
５２…帯状弾性シート
５４…横溝の端壁
５６…裏押しローラの帯状外周面部
５８…外周面部の帯状領域
６０…切目
６２…クランプの支持軸
６４…三角形状窪み
６６…窪みの端壁
Ｓ…印刷用紙
【図１】
0003578182.tif 000002
【図２】
0003578182.tif 000003
【図４】
0003578182.tif 000004
【図３】
0003578182.tif 000005
【図５】
0003578182.tif 000006